(57)【要約】      （修正有）【課題】無線信号の復調と復号をそれぞれ異なる装置で行う場合に、復号を行う装置へ通知される復調結果の伝送量を可変とするシステム、方法等を提供する。【解決手段】無線受信装置３０１のチャネル推定部３０１４は、ＲＦ受信部３０１３が端末２０１から無線により受信した信号に基づきチャネルの特性を推定する。復調部３０１５は、ＲＦ受信部３０１３が端末２０１から無線により受信した信号に、推定されたチャネルの特性を用いて等化処理を行い、等化処理された信号に軟判定復調を行う。可変量子化ビット削減部３０１６は、軟判定復調により得られた復調値の量子化ビット数を、無線制御装置４０１から受信した制御信号に含まれる情報と、チャネル推定信号に含まれる情報に基づいて削減する。無線受信装置３０１は削減後の量子化ビット数の復調値を無線制御装置４０１に出力する。無線制御装置４０１は、無線受信装置から受信した復調値に復号処理を行う。【選択図】図１
2017092611.tif 000002
【特許請求の範囲】
【請求項１】
無線受信装置と無線制御装置とを有する無線通信システムであって、
前記無線受信装置は、
端末から無線により信号を受信する受信部と、
前記受信部が受信した信号に基づきチャネルの特性を推定するチャネル推定部と、
前記受信部が受信した信号に前記チャネル推定部が推定したチャネルの特性を用いて等化処理を行い、等化処理された前記信号に軟判定復調を行う復調部と、
軟判定復調により得られた復調値の量子化ビット数を、前記無線制御装置から受信した制御信号に含まれる情報と、前記チャネル推定部により推定された特性が設定されたチャネル推定信号に含まれる情報との一方又は両方に基づいて削減し、削減した量子化ビット数の量子化値で表された前記復調値を前記無線制御装置に出力する可変量子化ビット削減部とを備え、
前記無線制御装置は、
前記無線受信装置から受信した前記復調値に復号処理を行う復号部を備える、
ことを特徴とする無線通信システム。
【請求項２】
前記制御信号に含まれる情報は、前記復調部が復調に用いる復調パラメータと、無線により受信した信号の品質を示す情報と、量子化に関する情報とのうち１以上であり、
前記チャネル推定信号に含まれる情報は、チャネル情報である、
ことを特徴とする請求項１に記載の無線通信システム。
【請求項３】
前記可変量子化ビット削減部は、量子化ビット数削減後の量子化に関する情報を前記無線制御装置に通知し、
前記無線制御装置は、前記可変量子化ビット削減部から通知された量子化に関する前記情報に基づいて、前記無線受信装置から受信した前記量子化値から復調値を復元する量子化復元部をさらに備え、
前記復号部は、前記量子化復元部により復元された前記復調値に復号処理を行う、
ことを特徴とする請求項１又は請求項２に記載の無線通信システム。
【請求項４】
無線受信装置と無線制御装置とを有する無線通信システムにおける通信方法であって、
前記無線受信装置が、
端末から無線により信号を受信する受信ステップと、
前記受信ステップにおいて受信した信号に基づきチャネルの特性を推定するチャネル推定ステップと、
前記受信ステップにおいて受信した信号に前記チャネル推定ステップにおいて推定されたチャネルの特性を用いて等化処理を行い、等化処理された前記信号に軟判定復調を行う復調ステップと、
前記復調ステップにおける軟判定復調により得られた復調値の量子化ビット数を、前記無線制御装置から受信した制御信号に含まれる情報と、前記チャネル推定ステップにおいて推定された特性が設定されたチャネル推定信号に含まれる情報との一方又は両方に基づいて削減し、削減した量子化ビット数の量子化値で表された前記復調値を前記無線制御装置に出力する可変量子化ビット削減ステップと、
前記無線制御装置が、
前記無線受信装置から受信した前記復調値に復号処理を行う復号ステップと、
を有することを特徴とする通信方法。
【請求項５】
端末から無線により信号を受信する受信部と、
前記受信部が受信した信号に基づきチャネルの特性を推定するチャネル推定部と、
前記受信部が受信した信号に前記チャネル推定部が推定したチャネルの特性を用いて等化処理を行い、等化処理された前記信号に軟判定復調を行う復調部と、
軟判定復調により得られた復調値の量子化ビット数を、復調値に復号処理を行う無線制御装置から受信した制御信号に含まれる情報と、前記チャネル推定部により推定された特性が設定されたチャネル推定信号に含まれる情報との一方又は両方に基づいて削減し、削減した量子化ビット数の量子化値で表された前記復調値を前記無線制御装置に出力する可変量子化ビット削減部と、
を備えることを特徴とする無線受信装置。
【請求項６】
無線受信装置に用いられるコンピュータに、
端末から無線により受信した信号に基づきチャネルの特性を推定するチャネル推定ステップと、
前記端末から無線により受信した信号に前記チャネル推定ステップにおいて推定されたチャネルの特性を用いて等化処理を行い、等化処理された前記信号に軟判定復調を行う復調ステップと、
前記復調ステップにおける軟判定復調により得られた復調値の量子化ビット数を、復調値に復号処理を行う無線制御装置から受信した制御信号に含まれる情報と、前記チャネル推定ステップにおいて推定された特性が設定されたチャネル推定信号に含まれる情報との一方又は両方に基づいて削減し、削減した量子化ビット数の量子化値で表された前記復調値を前記無線制御装置に出力する可変量子化ビット削減ステップと、
を実行させるプログラム。
【発明の詳細な説明】
【技術分野】
【０００１】
本発明は、無線通信システム、通信方法、無線受信装置、及び、プログラムに関する。
【背景技術】
【０００２】
無線通信システム、特に移動体通信システムにおいて、基地局設置の柔軟性を高めるために、基地局の機能をＢＢＵ（Base Band Unit）とＲＲＨ（Remote Radio Head）と呼ばれる２種類の装置に分割し、物理的に離れた構成とする事が検討されている。図１４は、ＢＢＵとＲＲＨの機能分割方式の１つを示す図である。同図に示すように、ＢＢＵに、ＭＡＣ（Media Access Control）層以上の機能および物理層機能の一部を搭載し、ＲＲＨに物理層機能の一部を搭載するＳＰＰ（Split-PHY Processing）と呼ばれる機能分割方式が検討されている（例えば、非特許文献１参照）。
【０００３】
受信した無線信号を復調する際に、０あるいは１のビット値として出力するのではなく、送信された信号ビットが０あるいは１である確からしさを示す尤度（Likelihood）と呼ばれる値の比として出力する軟判定復調と呼ばれる方式がある。軟判定復調の出力は、対数尤度比あるいはＬＬＲ（Log Likelihood Ratio）と呼ばれる（例えば、非特許文献２参照）。ＬＬＲの値は一般に、より正の大きな値であるほど信号ビットが１である可能性が高く、より負の大きな値であるほど信号ビットが０である可能性が高いことを示す。
【０００４】
図１５は、従来のＳＰＰにおける上りリンク信号伝送を示す図である。ＳＰＰの上りリンク信号伝送では、まずＢＢＵの上位機能部から伝送される制御信号によって復調パラメータが事前にＲＲＨの復調部に指示されている。復調パラメータは、復調部において無線伝送路の状態に応じた復調を行うために用いられる。復調パラメータは、例えば、ＱＰＳＫ（Quadrature Phase Shift Keying）や１６ＱＡＭ（Quadrature Amplitude Modulation）といった変調方式や、１／３や３／４といった符号化率を示す。端末から送信された無線信号は、無線伝送路を経てＲＲＨのＲＦ（Radio Frequency）受信部で受信された後、復調部に出力される。出力された無線信号は、復調部において、チャネル推定部で得られたチャネル情報を用いた等化処理および復調パラメータに応じた軟判定復調が行われ、ＬＬＲとして出力される。この時、ＬＬＲの量子化ビット数は信号処理の精度を高めるため、一般に大きなビット数（例えば、８ビット）に設定されている。そこで、ＲＲＨ−ＢＢＵ間の伝送容量を減らすため、量子化ビット削減部においてＬＬＲの量子化ビット数を削減する。量子化ビット数が削減されたＬＬＲは、ＲＲＨ−ＢＢＵ間で伝送される。このときに設定される量子化ビット数は、どのような無線伝送路の状態でも誤り無く受信できるような固定値に設定される。その後、ＢＢＵの復号部でＲＲＨから受信したＬＬＲの復号処理が行われ、復号処理の結果のビットデータは上位機能部に入力される。
【０００５】
移動体通信システムにおいて１つの基地局がカバーするエリアをセルと呼ぶ。一般に、隣接する複数のセル間においてそのカバーエリアはオーバラップしている。このため、端末がセル端付近に位置する時に、端末から所望の基地局に送信されている無線信号と、隣接する基地局に属している他の端末から送信されている無線信号とが干渉し、端末と基地局との間の伝送速度が著しく低下するという現象が問題となる。こうしたセル間の信号干渉の問題を解決する手段として、図１６に示すように隣接する基地局同士、または図１７に示すように隣接するＲＲＨ同士が、セル端近傍に位置する端末に対して互いに連携して通信を行うＣｏＭＰ（Coordinated Multi-Point transmission/ reception）技術が検討されている（例えば、非特許文献３参照）。
【０００６】
ＣｏＭＰの手法の１つとして、複数の各ＲＲＨで得られたＬＬＲをＢＢＵに送信し、ＢＢＵでそれらを合成する手法が検討されている（例えば、非特許文献１参照）。図１８は、従来のＳＰＰにおけるＣｏＭＰを行なう場合の上りリンク信号伝送を示す図である。同図においては、それぞれアンテナ数が１のＲＲＨ−１とＲＲＨ−２の２台のＲＲＨを用いる場合を例に示しているが、ＲＲＨ数は２に限定しなくてもよく、各ＲＲＨに備えられるアンテナ数は複数でもよい。また、端末数も複数でもよく、端末のアンテナ数も複数でもよい。
【０００７】
まず、ＢＢＵの上位機能部から伝送される制御信号によって、各ＲＲＨに、復調部で無線伝送路の状態に応じた復調処理を行うための復調パラメータが事前に指示される。端末から送信された無線信号は、無線伝送路を経て各ＲＲＨのＲＦ受信部で受信された後、復調部において、チャネル推定部で得られたチャネル情報を用いた等化処理および復調パラメータに応じた軟判定復調が行われ、ＬＬＲとして出力される。次に、図１５の場合と同様に、ＲＲＨ−ＢＢＵ間の伝送容量を減らすため、量子化ビット削減部でＬＬＲの量子化ビット数を削減する。ビット数が削減されたＬＬＲは、ＲＲＨ−ＢＢＵ間で伝送される。この時設定される量子化ビット数はどのような無線伝送路の状態でも誤り無く受信できるような固定値に設定される。その後、ＲＲＨ−１とＲＲＨ−２から受信したＬＬＲを、ＢＢＵのＬＬＲ合成部において合成する。ＢＢＵの復号部では、合成されたＬＬＲの復号処理が行われ、出力されたビットデータは上位機能部に入力される。このように、ＳＰＰのシステム構成では、ＬＬＲ合成を用いたＣｏＭＰを用いてより信頼性の高いＬＬＲを復号部に入力して復号を行うことで、ビット誤りを低減することができる。
【先行技術文献】
【非特許文献】
【０００８】
【非特許文献１】宮本  健司、外３名、「将来無線アクセスに向けた基地局機能分割方式の提案」、信学技報、一般社団法人  電子情報通信学会、２０１５年７月、ｖｏｌ.１１５、ｎｏ.１２３、ＣＳ２０１５-１５、ｐ.３３−３８
【非特許文献２】大槻  知明、「情報通信の基礎と動向[III]：誤り訂正符号」、電子情報通信学会誌、一般社団法人  電子情報通信学会、２００７年７月、Ｖｏｌ．９０、Ｎｏ．７、ｐ．５４９−５５５
【非特許文献３】田岡  秀和、外５名、「LTE-AdvancedにおけるMIMOおよびセル間協調送受信技術」、NTTドコモテクニカル・ジャーナル、２０１０年７月、Ｖｏｌ．１８、Ｎｏ．２、ｐ.２２−３０
【発明の概要】
【発明が解決しようとする課題】
【０００９】
従来のＳＰＰの上りリンク信号伝送では、ＬＬＲは、固定値の量子化ビット数に削減されてからＲＲＨ−ＢＢＵ間で伝送される。しかし、ＲＲＨ−ＢＢＵ間では無線信号のデータレートの量子化ビット数倍の伝送容量が必要となる。例えば、ＲＲＨで１Ｇｂｐｓ（ギガビット毎秒）の無線信号を受信し、ビット数削減後のＬＬＲの量子化ビット数が５ビットであった場合、ＲＲＨ−ＢＢＵ間の伝送容量は５Ｇｂｐｓとなる。このように従来のＳＰＰの上りリンク信号伝送では、ＬＬＲの量子化ビット数に応じてＲＲＨ−ＢＢＵ間の伝送容量が増加するという問題があった。
【００１０】
上記事情に鑑み、本発明は、無線信号の復調と復号をそれぞれ異なる装置で行う場合に、復号を行う装置へ通知される復調結果の量子化ビット数を可変とすることができる無線通信システム、通信方法、無線受信装置、及び、プログラムを提供することを目的としている。
【課題を解決するための手段】
【００１１】
本発明の一態様は、無線受信装置と無線制御装置とを有する無線通信システムであって、前記無線受信装置は、端末から無線により信号を受信する受信部と、前記受信部が受信した信号に基づきチャネルの特性を推定するチャネル推定部と、前記受信部が受信した信号に前記チャネル推定部が推定したチャネルの特性を用いて等化処理を行い、等化処理された前記信号に軟判定復調を行う復調部と、軟判定復調により得られた復調値の量子化ビット数を、前記無線制御装置から受信した制御信号に含まれる情報と、前記チャネル推定部により推定された特性が設定されたチャネル推定信号に含まれる情報との一方又は両方に基づいて削減し、削減した量子化ビット数の量子化値で表された前記復調値を前記無線制御装置に出力する可変量子化ビット削減部とを備え、前記無線制御装置は、前記無線受信装置から受信した前記復調値に復号処理を行う復号部を備える。
【００１２】
本発明の一態様は、上述の無線通信システムであって、前記制御信号に含まれる情報は、前記復調部が復調に用いる復調パラメータと、無線により受信した信号の品質を示す情報と、量子化に関する情報とのうち１以上であり、前記チャネル推定信号に含まれる情報は、チャネル情報である。
【００１３】
本発明の一態様は、上述の無線通信システムであって、前記可変量子化ビット削減部は、量子化ビット数削減後の量子化に関する情報を前記無線制御装置に通知し、前記無線制御装置は、前記可変量子化ビット削減部から通知された量子化に関する前記情報に基づいて、前記無線受信装置から受信した前記量子化値から復調値を復元する量子化復元部をさらに備え、前記復号部は、前記量子化復元部により復元された前記復調値に復号処理を行う。
【００１４】
本発明の一態様は、無線受信装置と無線制御装置とを有する無線通信システムにおける通信方法であって、前記無線受信装置が、端末から無線により信号を受信する受信ステップと、前記受信ステップにおいて受信した信号に基づきチャネルの特性を推定するチャネル推定ステップと、前記受信ステップにおいて受信した信号に前記チャネル推定ステップにおいて推定されたチャネルの特性を用いて等化処理を行い、等化処理された前記信号に軟判定復調を行う復調ステップと、前記復調ステップにおける軟判定復調により得られた復調値の量子化ビット数を、前記無線制御装置から受信した制御信号に含まれる情報と、前記チャネル推定ステップにおいて推定された特性が設定されたチャネル推定信号に含まれる情報との一方又は両方に基づいて削減し、削減した量子化ビット数の量子化値で表された前記復調値を前記無線制御装置に出力する可変量子化ビット削減ステップと、前記無線制御装置が、前記無線受信装置から受信した前記復調値に復号処理を行う復号ステップと、を有する。
【００１５】
本発明の一態様は、端末から無線により信号を受信する受信部と、前記受信部が受信した信号に基づきチャネルの特性を推定するチャネル推定部と、前記受信部が受信した信号に前記チャネル推定部が推定したチャネルの特性を用いて等化処理を行い、等化処理された前記信号に軟判定復調を行う復調部と、軟判定復調により得られた復調値の量子化ビット数を、復調値に復号処理を行う無線制御装置から受信した制御信号に含まれる情報と、前記チャネル推定部により推定された特性が設定されたチャネル推定信号に含まれる情報との一方又は両方に基づいて削減し、削減した量子化ビット数の量子化値で表された前記復調値を前記無線制御装置に出力する可変量子化ビット削減部と、を備える無線受信装置である。
【００１６】
本発明の一態様は、無線受信装置に用いられるコンピュータに、端末から無線により受信した信号に基づきチャネルの特性を推定するチャネル推定ステップと、前記端末から無線により受信した信号に前記チャネル推定ステップにおいて推定されたチャネルの特性を用いて等化処理を行い、等化処理された前記信号に軟判定復調を行う復調ステップと、前記復調ステップにおける軟判定復調により得られた復調値の量子化ビット数を、復調値に復号処理を行う無線制御装置から受信した制御信号に含まれる情報と、前記チャネル推定ステップにおいて推定された特性が設定されたチャネル推定信号に含まれる情報との一方又は両方に基づいて削減し、削減した量子化ビット数の量子化値で表された前記復調値を前記無線制御装置に出力する可変量子化ビット削減ステップと、を実行させるプログラムである。
【発明の効果】
【００１７】
本発明により、無線信号の復調と復号をそれぞれ異なる装置で行う場合に、復号を行う装置へ通知される復調結果の量子化ビット数を可変とすることが可能となる。
【図面の簡単な説明】
【００１８】
【図１】第１の実施形態による無線通信システムの構成を示すブロック図である。
【図２】同実施形態による量子化ビットの削減の例を示す図である。
【図３】第２の実施形態による無線通信システムの構成を示すブロック図である。
【図４】第３の実施形態による無線通信システムの構成を示すブロック図である。
【図５】第４の実施形態による無線通信システムの構成を示すブロック図である。
【図６】第５の実施形態による無線通信システムの構成を示すブロック図である。
【図７】第６の実施形態による無線通信システムの構成を示すブロック図である。
【図８】第７の実施形態による無線通信システムの構成を示すブロック図である。
【図９】第８の実施形態による無線通信システムの構成を示すブロック図である。
【図１０】第９の実施形態による無線通信システムの構成を示すブロック図である。
【図１１】第１０の実施形態による無線通信システムの構成を示すブロック図である。
【図１２】第１１の実施形態による無線通信システムの構成を示すブロック図である。
【図１３】第１２の実施形態による無線通信システムの構成を示すブロック図である。
【図１４】ＢＢＵとＲＲＨの機能分割方式の１つを示す図である。
【図１５】従来のＳＰＰにおける上りリンク信号伝送を示す図である。
【図１６】２つの基地局を用いたＣｏＭＰの模式図である。
【図１７】１つのＢＢＵと２つのＲＲＨを用いたＣｏＭＰの模式図である。
【図１８】従来のＳＰＰにおけるＣｏＭＰを行なう場合の上りリンク信号伝送を示す図である。
【発明を実施するための形態】
【００１９】
本発明の実施形態について図面を参照して詳細に説明する。
本実施形態の無線通信システムは、基地局の機能をＢＢＵ（Base Band Unit）とＲＲＨ（Remote Radio Head）と呼ばれる２種類の装置に分割した構成である。ＲＲＨは、端末から送信された無線信号に軟判定復調を行って得られた復調値であるＬＲＲ（対数尤度比）の量子化ビット数を変更してＢＢＵに送信する。ＢＢＵは、ＲＲＨから受信したＬＲＲを復号する。
【００２０】
ＬＬＲの量子化ビットは、無線伝送路の状態によっては、少ない量子化ビット数でも誤りなく受信することができる。そこで、本実施形態では、従来のように、ＬＬＲの削減後の量子化ビット数をどのような無線伝送路の状態でも誤りなく受信できるような固定値に設定するのではなく、量子化ビット数のさらなる削減を行う。本実施形態のＲＲＨは、事前にＢＢＵから伝送される復調パラメータ、受信信号品質情報、又は、量子化情報、あるいは、ＲＲＨにおけるチャネル推定により得られたチャネル情報のうち１以上に応じて、ＬＬＲの量子化ビット数を従来よりもさらに削減することを可能とする。量子化ビット数の削減により、ＲＲＨ−ＢＢＵ間の伝送容量を削減することが可能となる。以下、各実施形態を説明する。
【００２１】
（第１の実施形態）
第１の実施形態は、図１５に示す無線通信システムに適用可能である。
図１は、第１の実施形態による無線通信システム１０１の構成を示すブロック図である。同図では、上りリンク信号伝送に関する情報についても示している。同図に示すように、無線通信システム１０１は、端末２０１と、ＲＲＨ３０１と、ＢＢＵ４０１とを備える。ＲＲＨ３０１とＢＢＵ４０１とは、伝送路５０１により接続される。
【００２２】
ＲＲＨ３０１は、信号分配部３０１１と、アンテナ３０１２と、ＲＦ（無線周波数）受信部３０１３と、チャネル推定部３０１４と、復調部３０１５と、可変量子化ビット削減部３０１６とを備える。
【００２３】
信号分配部３０１１は、ＢＢＵ４０１から受信した制御信号を、復調部３０１５及び可変量子化ビット削減部３０１６に転送する。制御信号には、復調部３０１５において復調を行うための復調パラメータと、無線信号の受信信号品質情報と、あらかじめ算出されたＬＬＲ量子化情報とのうち１以上が含まれる。復調パラメータは、復調部３０１５において復調を行うために用いられ、例えば、変調方式や符号化率を示す。無線信号の受信信号品質情報は、例えば、受信ＳＮＲ（Signal to Noise Ratio）を示す。ＬＬＲ量子化情報は、例えば、量子化ビット数、量子化閾値、量子化レベルなどを示す。量子化ビット数は、量子化された値を表すために用いられるビットの数である。量子化閾値は、元の値から量子化された値を決定するために、量子化前の元の値との比較に用いる閾値である。量子化レベルは、量子化された値を復元したときの値を示す。
【００２４】
アンテナ３０１２は、電波を受信し、受信した電波を無線周波数（ＲＦ）信号に変換してＲＦ受信部３０１３に出力する。
ＲＦ受信部３０１３は、ＲＦ信号に増幅、ダウンコンバート、所望帯域の抽出などの受信処理を行い、受信処理により得られた受信信号を復調部３０１５およびチャネル推定部３０１４に出力する。
チャネル推定部３０１４は、ＲＦ受信部３０１３により受信処理された受信信号を用いてチャネル情報を推定する。すなわち、チャネル推定部３０１４は、ＲＦ受信部３０１３により受信処理された受信信号を用いて、無線信号が無線伝送路（チャネル）を伝搬した際に受ける減衰量や位相回転量など、伝搬路特性を推定する。チャネル推定部３０１４は、これらの推定値を設定したチャネル情報を生成する。
復調部３０１５は、チャネル推定部３０１４により推定されたチャネル情報を用いて受信信号に等化処理を行った後、復調パラメータに応じた軟判定復調を行う。復調部３０１５は、軟判定復調により得られたＬＬＲを可変量子化ビット削減部３０１６に出力する。
可変量子化ビット削減部３０１６は、復調パラメータ、受信信号品質情報、ＬＬＲ量子化情報のうち１以上に基づいて削減後の量子化ビット数を決定する。可変量子化ビット削減部３０１６は、復調部３０１５が出力したＬＬＲの量子化ビット数を、決定した量子化ビット数に削減する。可変量子化ビット削減部３０１６は、量子化ビット数削減後のＬＬＲをＢＢＵ４０１に出力する。
【００２５】
ＢＢＵ４０１は、上位機能部４０１１と、復号部４０１２とを備える。
上位機能部４０１１は、復調パラメータと、受信信号品質情報と、ＬＬＲ量子化情報とのうち１以上が含まれた制御信号をＲＲＨ３０１の信号分配部３０１１に伝送する。
復号部４０１２は、ＲＲＨ３０１から受信したＬＬＲの復号処理を行い、復号処理により得られたビットデータを上位機能部４０１１に出力する。
【００２６】
続いて、無線通信システム１０１の動作を説明する。
まず、ＢＢＵ４０１の上位機能部４０１１は、ＲＲＨ３０１の信号分配部３０１１に制御信号を伝送する。上位機能部４０１１は、制御信号に、ＲＲＨ３０１の復調部３０１５において復調を行うための復調パラメータと、無線信号の受信信号品質情報と、あらかじめ算出しておいたＬＬＲ量子化情報とのうち、いずれか１以上を設定する。
【００２７】
ＲＲＨ３０１の信号分配部３０１１は、受信した制御信号を復調部３０１５だけでなく、可変量子化ビット削減部３０１６にも転送する。なお、ここで信号分配部３０１１は、制御信号をそのまま転送せずに、制御信号に含まれる復調パラメータと、無線信号の受信信号品質情報と、ＬＬＲ量子化情報とのうち１以上を取り出して可変量子化ビット削減部３０１６に転送してもよい。
【００２８】
端末２０１から送信された無線信号は無線伝送路を経て、ＲＲＨ３０１のアンテナ３０１２により受信される。アンテナ３０１２が受信した無線信号は、ＲＦ受信部３０１３により受信処理された後、復調部３０１５に出力される。復調部３０１５は、ＲＦ受信部３０１３から出力された受信信号に、チャネル推定部３０１４で得られたチャネル情報を用いて等化処理を行った後、復調パラメータに応じた軟判定復調を行う。復調部３０１５は、軟判定復調の結果得られたＬＬＲを可変量子化ビット削減部３０１６に出力する。このとき出力されるＬＬＲの量子化ビット数は、信号処理の精度を高めるため、一般に大きなビット数（例えば、８ビット）に設定されている。
【００２９】
可変量子化ビット削減部３０１６は、復調部３０１５から出力されたＬＬＲの量子化ビット数を削減する再量子化を行う。この再量子化では、制御信号に含まれる情報に応じて、受信性能に影響のない範囲で量子化ビット数を削減する。例えば、復調パラメータとしてＱＰＳＫを用いることが通知された場合は量子化ビット数を３ビットに、１６ＱＡＭを用いることが通知された場合は量子化ビット数を４ビットにするといった処理を行う。
【００３０】
このように、可変量子化ビット削減部３０１６は、１シンボルで表されるビット数が小さい変調方式ほど、受信性能に影響のない範囲で量子化ビット数を小さくする。また、符号化率が低いほど、端末２０１が送信するデータ中の冗長ビットが多いために誤り率が低下し、受信品質が向上すると考えられる。よって、可変量子化ビット削減部３０１６は、符号化率が低いほど、受信性能に影響のない範囲で量子化ビット数を小さくする。また、可変量子化ビット削減部３０１６は、受信信号品質を用いて量子化ビット数を決定する場合、受信信号品質が高いほど、受信性能に影響のない範囲で量子化ビット数を小さくする。また、可変量子化ビット削減部３０１６は、ＬＬＲ量子化情報で示される条件（例えば、量子化ビット数、量子化閾値、量子化レベル）に従って、削減後の量子化ビット数を決定する。
【００３１】
ここで、量子化ビット数の削減について説明する。
図２は、量子化ビットの削減の例を示す図である。例えば、変調方式がＱＰＳＫであり、可変量子化ビット削減部３０１６が実際に受信したＬＬＲ値が図２で示すような確率密度分布を持つと仮定し、量子化ビット数を５ビットから３ビットに削減することを考える。このＬＬＲ値を５ビットで量子化する場合、例えば、−２．０から＋１．８７５の０．１２５刻みの量子化レベルで量子化することができる。しかし、ＬＬＲは正の値であるか負の値であるかが重要であるため、図２に示す確率密度分布を持つＬＬＲに対してここまで細かい量子化を行う必要はない。そこで、可変量子化ビット削減部３０１６は、ＬＬＲ量子化ビット数を３ビットとし、復調部３０１５から出力されたＬＬＲを、−２．０から＋１．５の０．５刻みの量子化レベルで量子化する。この場合でも、ＬＬＲ値は正の値と負の値にほぼ均等に量子化されるため、受信性能に影響はない。このようにして、ＬＬＲの量子化ビット数は受信性能に影響のない範囲で削減することができる。
【００３２】
可変量子化ビット削減部３０１６は、再量子化により量子化ビット数が削減されたＬＬＲをＢＢＵ４０１に出力する。このように、可変の量子化ビット数で量子化されたＬＬＲはＲＲＨ３０１−ＢＢＵ４０１間で伝送されるが、どのような無線伝送路の状態でも誤り無く受信できるような固定値で量子化されたＬＬＲが伝送される場合と異なり、制御信号に含まれる情報によって量子化ビット数を削減することができる。ＢＢＵ４０１の復号部４０１２は、ＲＲＨ３０１から受信したＬＬＲの復号処理を行い、復号処理の結果得られたビットデータを出力する。復号部４０１２が出力したビットデータは、上位機能部４０１１に入力される。
【００３３】
なお、端末２０１のアンテナ数、ＲＲＨ３０１のアンテナ数を任意の数にしてもよい。また、ＲＲＨ３０１で得られたＬＬＲに、制御信号に含まれる情報に応じて重み付けを行ってから量子化を行ってもよい。また、ＲＲＨ３０１とＢＢＵ４０１の間の信号伝送に用いるインタフェースにはイーサネット（登録商標）のような既存のインタフェースを用いてもよく、独自のインタフェースを用いてもよい。また、ＲＲＨ３０１は、ＲＦ受信部３０１３による受信処理の後に、受信信号に対してＯＦＤＭ（Orthogonal Frequency Division Multiplexing）などのようなマルチキャリア信号の受信を行うための処理を行ってもよい。
【００３４】
（第２の実施形態）
第２の実施形態は、図１８に示す無線通信システムに適用可能である。
図３は、第２の実施形態による無線通信システム１０２の構成を示すブロック図である。同図では、上りリンク信号伝送に関する信号の流れについても示している。同図において、図１に示す第１の実施形態による無線通信システム１０１と同一の部分には同一の符号を付し、その説明を省略する。同図に示すように、無線通信システム１０２は、端末２０１と、ＲＲＨ３０１と、ＢＢＵ４０２とを備える。同図においては、無線通信システム１０２が２台のＲＲＨ３０１を備える場合を例に示しているが、３台以上を備えてもよい。同図では、２台のＲＲＨ３０１をそれぞれ、ＲＲＨ３０１−１、３０１−２と記載している。各ＲＲＨ３０１とＢＢＵ４０１とはそれぞれ、伝送路５０１により接続される。
【００３５】
ＢＢＵ４０２は、上位機能部４０２１と、ＬＬＲ合成部４０２２と、復号部４０２３とを備える。
上位機能部４０２１は、復調パラメータと、受信信号品質情報と、ＬＬＲ量子化情報とのうち１以上が含まれた制御信号を、複数台のＲＲＨ３０１それぞれの信号分配部３０１１に伝送する。
ＬＬＲ合成部４０２２は、複数台のＲＲＨ３０１それぞれから受信したＬＬＲを合成する。
復号部４０２３は、ＬＬＲ合成部４０２２により合成されたＬＬＲの復号処理を行い、復号処理により得られたビットデータを上位機能部４０２１に出力する。
【００３６】
続いて、無線通信システム１０２の動作を説明する。
まず、ＢＢＵ４０２の上位機能部４０２１は、各ＲＲＨ３０１の信号分配部３０１１に制御信号を伝送する。上位機能部４０１１は、ＲＲＨ３０１−ｉ（ｉ＝１，２）に伝送する制御信号に、ＲＲＨ３０１−ｉの復調部３０１５において復調を行うための復調パラメータと、ＲＲＨ３０１−ｉが受信した無線信号の受信信号品質情報（例えば、受信ＳＮＲ)と、あらかじめ算出しておいたＲＲＨ３０１−ｉに指示するＬＬＲ量子化情報（例えば、量子化ビット数や量子化閾値、量子化レベル)とのうち１以上を設定する。
【００３７】
２台のＲＲＨ３０１の信号分配部３０１１は、受信した制御信号を復調部３０１５だけでなく、可変量子化ビット削減部３０１６にも転送する。なお、ここで信号分配部３０１１は、制御信号をそのまま転送せずに、制御信号に含まれる復調パラメータと、無線信号の受信信号品質情報と、ＬＬＲ量子化情報とのうち１以上を取り出して可変量子化ビット削減部３０１６に転送してもよい。
【００３８】
端末２０１から送信された無線信号は無線伝送路を経て、各ＲＲＨ３０１のアンテナ３０１２により受信される。各ＲＲＨ３０１のアンテナ３０１２が受信した無線信号は、ＲＦ受信部３０１３により受信処理された後、復調部３０１５に出力される。各ＲＲＨ３０１の復調部３０１５は、ＲＦ受信部３０１３から出力された受信信号に、チャネル推定部３０１４で得られたチャネル情報を用いて等化処理を行った後、復調パラメータに応じた軟判定復調を行う。各ＲＲＨ３０１の復調部３０１５は、軟判定復調の結果得られたＬＬＲを可変量子化ビット削減部３０１６に出力する。このとき出力されるＬＬＲの量子化ビット数は、信号処理の精度を高めるため、一般に大きなビット数（例えば、８ビット)に設定されている。
【００３９】
各ＲＲＨ３０１の可変量子化ビット削減部３０１６は、復調部３０１５から出力されたＬＬＲの量子化ビット数を削減する再量子化を行う。この再量子化では、制御信号に含まれる復調パラメータと、無線信号の受信信号品質情報と、ＬＬＲ量子化情報とのうち１以上に応じて、受信性能に影響のない範囲で量子化ビット数を削減させた再量子化が行われる。可変量子化ビット削減部３０１６は、例えば、復調パラメータとしてＱＰＳＫを用いることが通知された場合は量子化ビット数を３ビットに、１６ＱＡＭを用いることが通知された場合は４ビットにするといった処理を行う。
【００４０】
各ＲＲＨ３０１の可変量子化ビット削減部３０１６は、再量子化により量子化ビット数が削減されたＬＬＲをＢＢＵ４０２に出力する。このように、可変の量子化ビット数で量子化されたＬＬＲは各ＲＲＨ３０１−ＢＢＵ４０２間で伝送されるが、どのような無線伝送路の状態でも誤り無く受信できるような固定値で量子化されたＬＬＲが伝送される場合と異なり、復調パラメータや受信信号品質情報によって量子化ビット数を削減することができる。
【００４１】
ＢＢＵ４０２のＬＬＲ合成部４０２２は、ＲＲＨ３０１−１及びＲＲＨ３０１−２のそれぞれから伝送されたＬＬＲを合成する。復号部４０２３は、ＬＬＲ合成部４０２２により合成されたＬＬＲの復号処理を行い、復号処理の結果得られたビットデータを出力する。復号部４０２３が出力したビットデータは、上位機能部４０２１に入力される。
【００４２】
なお、端末２０１の数、各端末２０１のアンテナ数、ＲＲＨ３０１の数、各ＲＲＨ３０１のアンテナ数を任意の数にしてもよい。また、各ＲＲＨ３０１におけるＬＬＲの量子化ビット数は異なっていてもよい。また、各ＲＲＨ３０１で得られたＬＬＲに、制御信号に含まれる情報に応じて重み付けを行ってから量子化を行ってもよく、各ＲＲＨ３０１の重み付けが異なる場合は、ＢＢＵ４０２でＬＬＲ合成を行う前に重み付けを揃えてもよい。また、ＲＲＨ３０１とＢＢＵ４０２の間の信号伝送に用いるインタフェースにはイーサネット（登録商標）のような既存のインタフェースを用いてもよく、独自のインタフェースを用いてもよい。また、各ＲＲＨ３０１は、ＲＦ受信部３０１３による受信処理の後に、受信信号に対してＯＦＤＭなどのようなマルチキャリア信号の受信を行うための処理を行ってもよい。
【００４３】
（第３の実施形態)
第３の実施形態は、図１５に示す無線通信システムに適用可能である。
図４は、第３の実施形態による無線通信システム１０３の構成を示すブロック図である。同図では、上りリンク信号伝送に関する信号の流れについても示している。同図において、図１に示す第１の実施形態による無線通信システム１０１と同一の部分には同一の符号を付し、その説明を省略する。同図に示すように、無線通信システム１０３は、端末２０１と、ＲＲＨ３０３と、ＢＢＵ４０３とを備える。ＲＲＨ３０３とＢＢＵ４０３とは、伝送路５０１により接続される。
【００４４】
ＲＲＨ３０３は、信号分配部３０３１と、アンテナ３０３２と、ＲＦ受信部３０３３と、チャネル推定部３０３４と、復調部３０３５と、可変量子化ビット削減部３０３６とを備える。
【００４５】
信号分配部３０３１は、チャネル推定部３０３４から受信したチャネル情報を、復調部３０３５及び可変量子化ビット削減部３０３６に転送する。
アンテナ３０３２は、第１の実施形態のＲＲＨ３０１のアンテナ３０１２と同様の機能を有する。
ＲＦ受信部３０３３は、第１の実施形態のＲＲＨ３０１のＲＦ受信部３０１３と同様の機能を有する。
チャネル推定部３０３４は、ＲＦ受信部３０３３により受信処理された受信信号を用いて、第１の実施形態のＲＲＨ３０１のチャネル推定部３０１４と同様にチャネル情報を推定する。チャネル推定部３０３４は、チャネル情報を信号分配部３０３１に出力する。
【００４６】
復調部３０３５は、第１の実施形態のＲＲＨ３０１の復調部３０１５と同様の処理を行う。すなわち、復調部３０３５は、チャネル推定部３０３４により推定されたチャネル情報を用いて受信信号に等化処理を行った後、復調パラメータに応じた軟判定復調を行う。復調部３０３５は、軟判定復調により得られたＬＬＲを可変量子化ビット削減部３０３６に出力する。
可変量子化ビット削減部３０３６は、復調部３０３５が出力したＬＬＲの量子化ビット数を、チャネル推定部３０３４により推定されたチャネル情報に基づいて削減し、ＢＢＵ４０３に出力する。さらに、可変量子化ビット削減部３０３６は、削減後の量子化ビット数をＢＢＵ４０３に通知する。
【００４７】
ＢＢＵ４０３は、上位機能部４０３１と、復号部４０３２とを備える。
上位機能部４０３１は、復調パラメータを設定した制御信号をＲＲＨ３０３の復調部３０３５に伝送する。
復号部４０３２は、ＲＲＨ３０３から量子化ビット数削減後のＬＬＲ量子化の量子化ビット数の通知を受ける。復号部４０３２は、通知された量子化ビット数に基づいて、ＲＲＨ３０３から受信したＬＬＲの復号処理を行い、復号処理により得られたビットデータを上位機能部４０３１に出力する。
【００４８】
続いて、無線通信システム１０３の動作を説明する。
まず、ＢＢＵ４０３の上位機能部４０３１は、ＲＲＨ３０３の復調部３０３５に制御信号を伝送する。上位機能部４０３１は、制御信号に、ＲＲＨ３０３の復調部３０３５で復調を行うための復調パラメータを設定する。
【００４９】
端末２０１から送信された無線信号は無線伝送路を経て、ＲＲＨ３０３のアンテナ３０３２により受信される。アンテナ３０３２が受信した無線信号は、ＲＦ受信部３０３３により受信処理された後、復調部３０３５に出力される。チャネル推定部３０３４は、チャネル推定により推定されたチャネルの特性を設定したチャネル推定信号を、信号分配部３０３１に伝送する。チャネル推定信号には、チャネル情報が設定される。信号分配部３０３１は、チャネル推定信号を、復調部３０３５だけでなく可変量子化ビット削減部３０３６にも転送する。なお、ここで信号分配部３０３１は、チャネル推定信号をそのまま転送せずに、チャネル推定信号に含まれるチャネル情報を取り出して可変量子化ビット削減部３０３６に転送してもよい。
【００５０】
復調部３０３５は、ＲＦ受信部３０３３から出力された受信信号に、チャネル推定信号に含まれるチャネル情報を用いて等化処理を行った後、復調パラメータに応じた軟判定復調を行う。軟判定復調される受信信号は、チャネル推定時又はチャネル推定後に端末２０１から受信した無線信号である。復調部３０３５は、軟判定復調の結果得られたＬＬＲを可変量子化ビット削減部３０３６に出力する。このとき出力されるＬＬＲの量子化ビット数は、信号処理の精度を高めるため、一般に大きなビット数（例えば、８ビット）に設定されている。
【００５１】
可変量子化ビット削減部３０３６は、復調部３０３５から出力されたＬＬＲの量子化ビット数を削減する再量子化を行う。この再量子化では、チャネル推定信号に含まれるチャネル情報に応じて、受信性能に影響のない範囲で量子化ビット数を削減する。例えば、可変量子化ビット削減部３０３６は、チャネル情報から得られる伝搬利得が所定よりも高ければ３ビットに、所定よりも低ければ４ビットにするといった処理を行う。伝搬利得は、例えば、チャネル情報により示される減衰量などの情報から得ることができる。このように、チャネル情報に含まれる伝搬利得が高いほど、受信性能に影響のない範囲で量子化ビット数を小さくする。
【００５２】
可変量子化ビット削減部３０３６は、再量子化により量子化ビット数が削減されたＬＬＲをＢＢＵ４０３に出力する。このように、可変の量子化ビット数で量子化されたＬＬＲはＲＲＨ３０３−ＢＢＵ４０３間で伝送されるが、どのような無線伝送路の状態でも誤り無く受信できるような固定値で量子化されたＬＬＲが伝送される場合と異なり、チャネル情報から得られる伝搬利得の情報によって量子化ビット数を削減することができる。またこの時、可変量子化ビット削減部３０３６は、再量子化を行った後のＬＬＲの量子化ビット数をＢＢＵ４０３に通知する。
【００５３】
ＢＢＵ４０３の復号部４０３２は、ＲＲＨ３０３から量子化ビット数とＬＬＲを受信すると、量子化ビット数に基づいてＬＬＲの復号処理を行い、復号処理の結果得られたビットデータを出力する。復号部４０３２が出力したビットデータは、上位機能部４０３１に入力される。
【００５４】
なお、端末２０１のアンテナ数、ＲＲＨ３０３のアンテナ数を任意の数にしてもよい。また、ＲＲＨ３０３で得られたＬＬＲに、チャネル推定信号に含まれるチャネル情報に応じて重み付けを行ってから量子化を行ってもよい。また、ＲＲＨ３０３とＢＢＵ４０３の間の信号伝送に用いるインタフェースにはイーサネット（登録商標）のような既存のインタフェースを用いてもよいし、独自のインタフェースを用いてもよい。また、ＲＲＨ３０３は、ＲＦ受信部３０３３による受信処理の後に、受信信号に対してＯＦＤＭなどのようなマルチキャリア信号の受信を行うための処理を行ってもよい。
【００５５】
（第４の実施形態）
第４の実施形態は、図１８に示す無線通信システムに適用可能である。
図５は、第４の実施形態による無線通信システム１０４の構成を示すブロック図である。同図では、上りリンク信号伝送に関する信号の流れについても示している。同図において、図４に示す第３の実施形態による無線通信システム１０３と同一の部分には同一の符号を付し、その説明を省略する。同図に示すように、無線通信システム１０４は、端末２０１と、ＲＲＨ３０３と、ＢＢＵ４０４とを備える。同図においては、無線通信システム１０４が２台のＲＲＨ３０３を備える場合を例に示しているが、３台以上を備えてもよい。同図では、２台のＲＲＨ３０３をそれぞれ、ＲＲＨ３０３−１、３０３−２と記載している。各ＲＲＨ３０３とＢＢＵ４０４とはそれぞれ、伝送路５０１により接続される。
【００５６】
ＢＢＵ４０４は、上位機能部４０４１と、ＬＬＲ合成部４０４２と、復号部４０４３とを備える。
上位機能部４０４１は、復調パラメータが含まれた制御信号を複数台のＲＲＨ３０３それぞれの復調部３０３５に伝送する。
ＬＬＲ合成部４０４２は、複数台のＲＲＨ３０３それぞれから受信したＬＬＲを合成する。
復号部４０４３は、複数台のＲＲＨ３０３から量子化ビット数削減後のＬＬＲ量子化の量子化ビット数の通知を受ける。復号部４０４３は、通知された量子化ビット数に基づいて、ＬＬＲ合成部４０４２により合成されたＬＬＲの復号処理を行い、復号処理により得られたビットデータを上位機能部４０４１に出力する。
【００５７】
続いて、無線通信システム１０４の動作を説明する。
まず、ＢＢＵ４０４の上位機能部４０４１は、各ＲＲＨ３０３の復調部３０３５に制御信号を伝送する。上位機能部４０４１は、ＲＲＨ３０３−ｉ（ｉ＝１，２）に伝送する制御信号に、ＲＲＨ３０３−ｉの復調部３０３５において復調を行うための復調パラメータを制御信号に設定する。
【００５８】
端末２０１から送信された無線信号は無線伝送路を経て、各ＲＲＨ３０３のアンテナ３０３２により受信される。各ＲＲＨ３０３のアンテナ３０３２が受信した無線信号は、ＲＦ受信部３０３３により受信処理された後、復調部３０３５に出力される。各ＲＲＨ３０３のチャネル推定部３０３４は、チャネル推定により推定されたチャネルの特性を設定したチャネル推定信号を、信号分配部３０３１に伝送する。チャネル推定信号にはチャネル情報が設定される。各ＲＲＨ３０３の信号分配部３０３１は、チャネル推定信号を、復調部３０３５だけでなく可変量子化ビット削減部３０３６にも転送する。なお、ここで信号分配部３０３１は、チャネル推定信号をそのまま転送せずに、チャネル推定信号に含まれるチャネル情報を取り出して可変量子化ビット削減部３０３６に転送してもよい。
【００５９】
各ＲＲＨ３０３の復調部３０３５は、ＲＦ受信部３０３３から出力された受信信号に、チャネル推定信号に含まれるチャネル情報を用いて等化処理を行った後、復調パラメータに応じた軟判定復調を行う。軟判定復調される受信信号は、チャネル推定時又はチャネル推定後に端末２０１から受信した無線信号である。各ＲＲＨ３０３の復調部３０３５は、軟判定復調の結果得られたＬＬＲを可変量子化ビット削減部３０３６に出力する。このとき出力されるＬＬＲの量子化ビット数は、信号処理の精度を高めるため、一般に大きなビット数（例えば、８ビット）に設定されている。
【００６０】
各ＲＲＨ３０３の可変量子化ビット削減部３０３６は、復調部３０３５から出力されたＬＬＲの量子化ビット数を削減する再量子化を行う。この再量子化では、チャネル推定信号に含まれるチャネル情報に応じて、受信性能に影響のない範囲で量子化ビット数を削減する。例えば、可変量子化ビット削減部３０３６は、チャネル情報から得られる伝搬利得が所定よりも高ければ３ビットに、所定よりも低ければ４ビットにするといった処理を行う。
【００６１】
各ＲＲＨ３０３の可変量子化ビット削減部３０３６は、再量子化により量子化ビット数が削減されたＬＬＲをＢＢＵ４０４に出力する。このように、可変の量子化ビット数で量子化されたＬＬＲは各ＲＲＨ３０３−ＢＢＵ４０４間で伝送されるが、どのような無線伝送路の状態でも誤り無く受信できるような固定値で量子化されたＬＬＲが伝送される場合と異なり、チャネル情報から得られる伝搬利得の情報によって量子化ビット数を削減することができる。またこの時、各ＲＲＨ３０３の可変量子化ビット削減部３０３６は、再量子化を行った後のＬＬＲの量子化ビット数をＢＢＵ４０４に通知する。
【００６２】
ＢＢＵ４０４のＬＬＲ合成部４０４２は、ＲＲＨ３０３−１及びＲＲＨ３０３−２のそれぞれから伝送されたＬＬＲを合成する。復号部４０４３は、ＲＲＨ３０３−１及びＲＲＨ３０３−２から通知された量子化ビット数に基づいて、ＬＬＲ合成部４０４２により合成されたＬＬＲの復号処理を行い、復号処理の結果得られたビットデータを出力する。復号部４０４３が出力したビットデータは、上位機能部４０４１に入力される。
【００６３】
なお、端末２０１の数、各端末２０１のアンテナ数、ＲＲＨ３０３の数、各ＲＲＨ３０３のアンテナ数を任意の数にしてもよい。また、各ＲＲＨ３０３におけるＬＬＲの量子化ビット数は異なっていてもよい。また、各ＲＲＨ３０３で得られたＬＬＲに、チャネル推定信号に含まれるチャネル情報に応じて重み付けを行ってから量子化を行ってもよく、各ＲＲＨ３０３の重み付けが異なる場合は、ＢＢＵ４０４でＬＬＲ合成を行う前に重み付けを揃えてもよい。また、ＲＲＨ３０３とＢＢＵ４０４の間の信号伝送に用いるインタフェースにはイーサネット（登録商標）のような既存のインタフェースを用いてもよく、独自のインタフェースを用いてもよい。また、各ＲＲＨ３０３は、ＲＦ受信部３０３３による受信処理の後に、受信信号に対してＯＦＤＭなどのようなマルチキャリア信号の受信を行うための処理を行ってもよい。
【００６４】
（第５の実施形態）
第５の実施形態は、図１５に示す無線通信システムに適用可能である。
図６は、第５の実施形態による無線通信システム１０５の構成を示すブロック図である。同図では、上りリンク信号伝送に関する信号の流れについても示している。同図において、図１に示す第１の実施形態による無線通信システム１０１と同一の部分には同一の符号を付し、その説明を省略する。同図に示すように、無線通信システム１０５は、端末２０１と、ＲＲＨ３０５と、ＢＢＵ４０５とを備える。ＲＲＨ３０５とＢＢＵ４０５とは、伝送路５０１により接続される。
【００６５】
ＲＲＨ３０５は、信号分配部３０５１と、アンテナ３０５２と、ＲＦ受信部３０５３と、チャネル推定部３０５４と、復調部３０５５と、可変量子化ビット削減部３０５６とを備える。
【００６６】
信号分配部３０５１は、ＢＢＵ４０５から受信した制御信号を、復調部３０５５及び可変量子化ビット削減部３０５６に転送する。制御信号には、復調部３０５５において復調を行うための復調パラメータと、無線信号の受信信号品質情報（例えば、受信ＳＮＲ）と、あらかじめ算出されたＬＬＲ量子化情報（例えば、量子化ビット数や量子化閾値、量子化レベル）とのうち１以上が含まれる。さらに、信号分配部３０５１は、チャネル推定部３０５４から受信したチャネル情報を、復調部３０５５及び可変量子化ビット削減部３０５６に転送する。
【００６７】
アンテナ３０５２は、第１の実施形態のＲＲＨ３０１のアンテナ３０１２と同様の機能を有する。
ＲＦ受信部３０５３は、第１の実施形態のＲＲＨ３０１のＲＦ受信部３０１３と同様の機能を有する。
チャネル推定部３０５４は、ＲＦ受信部３０５３により受信処理された受信信号を用いて、第１の実施形態のＲＲＨ３０１のチャネル推定部３０１４と同様にチャネル情報を推定する。チャネル推定部３０５４は、チャネル情報を信号分配部３０５１に出力する。
【００６８】
復調部３０５５は、第１の実施形態のＲＲＨ３０１の復調部３０１５と同様の処理を行う。すなわち、復調部３０５５は、チャネル推定部３０５４により推定されたチャネル情報を用いて受信信号に等化処理を行った後、復調パラメータに応じた軟判定復調を行う。軟判定復調される受信信号は、チャネル推定時又はチャネル推定後に端末２０１から受信した無線信号である。復調部３０５５は、軟判定復調により得られたＬＬＲを可変量子化ビット削減部３０５６に出力する。
可変量子化ビット削減部３０５６は、チャネル情報と、復調パラメータと、受信信号品質情報とのうち１以上、及び、ＬＬＲ量子化情報に基づいて量子化ビット数を決定する。可変量子化ビット削減部３０５６は、復調部３０５５が出力したＬＬＲの量子化ビット数を、決定した量子化ビット数に削減し、ＢＢＵ４０５に出力する。
【００６９】
ＢＢＵ４０５は、上位機能部４０５１と、復号部４０５２とを備える。
上位機能部４０５１は、復調パラメータと、受信信号品質情報と、ＬＬＲ量子化情報とのうち１以上が含まれた制御信号をＲＲＨ３０５の信号分配部３０５１に伝送する。
復号部４０５２は、ＲＲＨ３０５から受信したＬＬＲの復号処理を行い、復号処理により得られたビットデータを上位機能部４０５１に出力する。
【００７０】
続いて、無線通信システム１０５の動作を説明する。
まず、ＢＢＵ４０５の上位機能部４０５１は、ＲＲＨ３０５の信号分配部３０５１に制御信号を伝送する。上位機能部４０５１は、制御信号に、ＲＲＨ３０５の復調部３０５５において復調を行うための復調パラメータと、無線信号の受信信号品質情報と、あらかじめ算出しておいたＬＬＲ量子化情報とのうち１以上を設定する。
【００７１】
ＲＲＨ３０５の信号分配部３０５１は、受信した制御信号を復調部３０５５だけでなく、可変量子化ビット削減部３０５６にも転送する。なお、ここで信号分配部３０５１は、制御信号をそのまま転送せずに、制御信号に含まれる復調パラメータと、無線信号の受信信号品質情報と、ＬＬＲ量子化情報とのうち１以上を取り出して可変量子化ビット削減部３０５６に転送してもよい。
【００７２】
端末２０１から送信された無線信号は無線伝送路を経て、ＲＲＨ３０５のアンテナ３０５２により受信される。アンテナ３０５２が受信した無線信号は、ＲＦ受信部３０５３により受信処理された後、復調部３０５５に出力される。チャネル推定部３０５４は、チャネル推定により推定されたチャネルの特性を設定したチャネル推定信号を、信号分配部３０５１に伝送する。チャネル推定信号にはチャネル情報が設定される。信号分配部３０５１は、チャネル推定信号を、復調部３０５５だけでなく可変量子化ビット削減部３０５６にも転送する。なお、ここで信号分配部３０５１は、チャネル推定信号をそのまま転送せずに、チャネル推定信号に含まれるチャネル情報を取り出して可変量子化ビット削減部３０５６に転送してもよい。
【００７３】
復調部３０５５は、ＲＦ受信部３０５３から出力された受信信号に、チャネル推定信号に含まれるチャネル情報を用いて等化処理を行った後、復調パラメータに応じた軟判定復調を行う。復調部３０５５は、軟判定復調の結果得られたＬＬＲを可変量子化ビット削減部３０５６に出力する。このとき出力されるＬＬＲの量子化ビット数は、信号処理の精度を高めるため、一般に大きなビット数（例えば、８ビット）に設定されている。
【００７４】
可変量子化ビット削減部３０５６は、復調部３０５５から出力されたＬＬＲの量子化ビット数を削減する再量子化を行う。この再量子化では、制御信号に含まれる情報、及び、チャネル推定信号に含まれるチャネル情報に応じて、受信性能に影響のない範囲で量子化ビット数を削減する。可変量子化ビット削減部３０５６は、再量子化により量子化ビット数が削減されたＬＬＲをＢＢＵ４０５に出力する。このように、可変の量子化ビット数で量子化されたＬＬＲは、ＲＲＨ３０５−ＢＢＵ４０５間で伝送されるが、どのような無線伝送路の状態でも誤り無く受信できるような固定値で量子化されたＬＬＲが伝送される場合と異なり、チャネル情報や制御信号に含まれる情報によって量子化ビット数を削減することができる。ＢＢＵ４０５の復号部４０５２は、ＲＲＨ３０５から受信したＬＬＲの復号処理を行い、復号処理の結果得られたビットデータを出力する。復号部４０５２が出力したビットデータは、上位機能部４０５１に入力される。
【００７５】
なお、端末２０１のアンテナ数、ＲＲＨ３０５のアンテナ数を任意の数にしてもよい。また、ＲＲＨ３０５で得られたＬＬＲに、制御信号に含まれる情報又はチャネル推定信号に含まれるチャネル情報、あるいは、その両方に応じて重み付けを行ってから量子化を行ってもよい。また、ＲＲＨ３０５とＢＢＵ４０５の間の信号伝送に用いるインタフェースにはイーサネット（登録商標）のような既存のインタフェースを用いてもよいし、独自のインタフェースを用いてもよい。また、ＲＲＨ３０５は、ＲＦ受信部３０５３による受信処理の後に、受信信号に対してＯＦＤＭなどのようなマルチキャリア信号の受信を行うための処理を行ってもよい。
【００７６】
（第６の実施形態）
第６の実施形態は、図１８に示す無線通信システムに適用可能である。
図７は、第６の実施形態による無線通信システム１０６の構成を示すブロック図である。同図では、上りリンク信号伝送に関する信号の流れについても示している。同図において、図６に示す第５の実施形態による無線通信システム１０５と同一の部分には同一の符号を付し、その説明を省略する。同図に示すように、無線通信システム１０６は、端末２０１と、ＲＲＨ３０５と、ＢＢＵ４０６とを備える。同図においては、無線通信システム１０６が２台のＲＲＨ３０５を備える場合を例に示しているが、３台以上を備えてもよい。同図では、２台のＲＲＨ３０５をそれぞれ、ＲＲＨ３０５−１、３０５−２と記載している。各ＲＲＨ３０５とＢＢＵ４０６とはそれぞれ、伝送路５０１により接続される。
【００７７】
ＢＢＵ４０６は、上位機能部４０６１と、ＬＬＲ合成部４０６２と、復号部４０６３とを備える。
上位機能部４０６１は、復調パラメータと、受信信号品質情報と、ＬＬＲ量子化情報とのうち１以上が含まれた制御信号を、複数台のＲＲＨ３０５それぞれの信号分配部３０５１に伝送する。
ＬＬＲ合成部４０６２は、複数台のＲＲＨ３０５それぞれから受信したＬＬＲを合成する。
復号部４０６３は、ＬＬＲ合成部４０６２により合成されたＬＬＲの復号処理を行い、復号処理により得られたビットデータを上位機能部４０６１に出力する。
【００７８】
続いて、無線通信システム１０６の動作を説明する。
まず、ＢＢＵ４０６の上位機能部４０６１は、各ＲＲＨ３０５の信号分配部３０５１に制御信号を伝送する。上位機能部４０６１は、ＲＲＨ３０５−ｉ（ｉ＝１，２）に伝送する制御信号に、ＲＲＨ３０５−ｉの復調部３０５５において復調を行うための復調パラメータと、ＲＲＨ３０５−ｉが受信した無線信号の受信信号品質情報（例えば、受信ＳＮＲ）と、あらかじめ算出しておいたＲＲＨ３０５−ｉに指示するＬＬＲ量子化情報（例えば、量子化ビット数や量子化閾値、量子化レベル）とのうち１以上を制御信号に設定する。各ＲＲＨ３０５の信号分配部３０５１は、制御信号を復調部３０５５だけでなく、可変量子化ビット削減部３０５６にも転送する。
【００７９】
端末２０１から送信された無線信号は無線伝送路を経て、各ＲＲＨ３０５のアンテナ３０５２により受信される。各ＲＲＨ３０５のアンテナ３０５２が受信した無線信号は、ＲＦ受信部３０５３により受信処理された後、復調部３０５５に出力される。各ＲＲＨ３０５のチャネル推定部３０５４は、チャネル推定により推定されたチャネルの特性を設定したチャネル推定信号を、信号分配部３０５１に伝送する。チャネル推定信号にはチャネル情報が設定される。各ＲＲＨ３０５の信号分配部３０５１は、チャネル推定信号を、復調部３０５５だけでなく可変量子化ビット削減部３０５６にも転送する。なお、ここで信号分配部３０５１は、チャネル推定信号をそのまま転送せずに、チャネル推定信号に含まれるチャネル情報を取り出して可変量子化ビット削減部３０５６に転送してもよい。
【００８０】
各ＲＲＨ３０５の復調部３０５５は、ＲＦ受信部３０５３から出力された受信信号に、チャネル推定信号に含まれるチャネル情報を用いて等化処理を行った後、復調パラメータに応じた軟判定復調を行う。軟判定復調される受信信号は、チャネル推定時又はチャネル推定後に端末２０１から受信した無線信号である。各ＲＲＨ３０５の復調部３０５５は、軟判定復調の結果得られたＬＬＲを可変量子化ビット削減部３０５６に出力する。このとき出力されるＬＬＲの量子化ビット数は、信号処理の精度を高めるため、一般に大きなビット数（例えば、８ビット）に設定されている。
【００８１】
各ＲＲＨ３０５の可変量子化ビット削減部３０５６は、復調部３０５５から出力されたＬＬＲの量子化ビット数を削減する再量子化を行う。この再量子化では、制御信号に含まれる情報、及び、チャネル推定信号に含まれるチャネル情報に応じて、受信性能に影響のない範囲で量子化ビット数を削減する。各ＲＲＨ３０５の可変量子化ビット削減部３０５６は、再量子化により量子化ビット数が削減されたＬＬＲをＢＢＵ４０６に出力する。このように、可変の量子化ビット数で量子化されたＬＬＲは、各ＲＲＨ３０５−ＢＢＵ４０６間で伝送されるが、どのような無線伝送路の状態でも誤り無く受信できるような固定値で量子化されたＬＬＲが伝送される場合と異なり、チャネル情報や、制御信号に含まれる復調パラメータ、受信信号品質情報などによって量子化ビット数を削減することができる。
【００８２】
ＢＢＵ４０６のＬＬＲ合成部４０６２は、ＲＲＨ３０５−１及びＲＲＨ３０５−２のそれぞれから伝送されたＬＬＲを合成する。復号部４０６３は、ＬＬＲ合成部４０６２により合成されたＬＬＲの復号処理を行い、復号処理の結果得られたビットデータを出力する。復号部４０６３が出力したビットデータは、上位機能部４０６１に入力される。
【００８３】
なお、端末２０１の数、各端末２０１のアンテナ数、ＲＲＨ３０５の数、各ＲＲＨ３０５のアンテナ数を任意の数にしてもよい。また、各ＲＲＨ３０５におけるＬＬＲの量子化ビット数は異なっていてもよい。また、各ＲＲＨ３０５で得られたＬＬＲに、制御信号に含まれる情報又はチャネル推定信号に含まれるチャネル情報、あるいは、その両方に応じて重み付けを行ってから量子化を行ってもよく、各ＲＲＨ３０５における重み付けが異なる場合はＢＢＵ４０６でＬＬＲ合成を行う前に重み付けを揃えてもよい。また、ＲＲＨ３０５とＢＢＵ４０６の間の信号伝送に用いるインタフェースにはイーサネット（登録商標）のような既存のインタフェースを用いてもよいし、独自のインタフェースを用いてもよい。また、各ＲＲＨ３０５は、ＲＦ受信部３０５３による受信処理の後に、受信信号に対してＯＦＤＭなどのようなマルチキャリア信号の受信を行うための処理を行ってもよい。
【００８４】
（第７の実施形態）
第７の実施形態では、第１の実施形態によるＲＲＨの可変量子化ビット削減部が行った量子化に関する情報を、ＲＲＨ−ＢＢＵ間でやりとりする。
図８は、第７の実施形態による無線通信システム１０７の構成を示すブロック図である。同図では、上りリンク信号伝送に関する信号の流れについても示している。同図において、図１に示す第１の実施形態による無線通信システム１０１と同一の部分には同一の符号を付し、その説明を省略する。同図に示すように、無線通信システム１０７は、端末２０１と、ＲＲＨ３０７と、ＢＢＵ４０７とを備える。ＲＲＨ３０７とＢＢＵ４０７とは、伝送路５０１により接続される。
【００８５】
ＲＲＨ３０７は、信号分配部３０７１と、アンテナ３０７２と、ＲＦ受信部３０７３と、チャネル推定部３０７４と、復調部３０７５と、可変量子化ビット削減部３０７６とを備える。
信号分配部３０７１、アンテナ３０７２、ＲＦ受信部３０７３、チャネル推定部３０７４、及び、復調部３０７５はそれぞれ、第１の実施形態のＲＲＨ３０１の信号分配部３０１１、アンテナ３０１２、ＲＦ受信部３０１３、チャネル推定部３０１４、及び、復調部３０１５と同様の機能を有する。
可変量子化ビット削減部３０７６は、第１の実施形態のＲＲＨ３０１の可変量子化ビット削減部３０１６と同様の機能を有する。さらに、可変量子化ビット削減部３０７６は、量子化ビット数削減後の量子化情報をＢＢＵ４０７に伝送する。量子化情報は、例えば、量子化レベルを示す。
【００８６】
ＢＢＵ４０７は、上位機能部４０７１と、量子化復元部４０７２と、復号部４０７３とを備える。
上位機能部４０７１は、ＢＢＵ４０１の上位機能部４０１１と同様の機能を有する。
量子化復元部４０７２は、ＲＲＨ３０７から通知された量子化情報に基づいて、ＲＲＨ３０７から受信したＬＬＲの量子化値を、ＬＬＲの値に復元する。
復号部４０７３は、量子化復元部４０７２が復元したＬＬＲの値を用いて復号処理を行い、復号処理により得られたビットデータを上位機能部４０７１に出力する。
【００８７】
上記構成により、ＲＲＨ３０７の可変量子化ビット削減部３０７６は、ＬＬＲの量子化ビット数を変化させるだけでなく、再量子化後の量子化情報、例えば、量子化レベルをＢＢＵ４０７に伝送する。ＢＢＵ４０７の量子化復元部４０７２は、ＲＲＨ３０７から受信した量子化情報をもとに、ＬＬＲの数値を復元する。例えば、可変量子化ビット削減部３０７６において量子化ビット数を３ビットに削減する場合に、８つの量子化レベルが、−３．６、−２．６、−１．７、−０．７、０．７、１．７、２．６、３．６であると仮定する。可変量子化ビット削減部３０７６は、３ビットのＬＬＲ値と、上記の８つの量子化レベルの情報を合わせてＢＢＵ４０７に伝送する。ＢＢＵ４０７の量子化復元部４０７２は、伝送された３ビットのＬＬＲ値に対応する量子化レベルを復元する。例えば、量子化復元部４０７２は、量子化されたＬＬＲ値が２であれば−２．６、量子化されたＬＬＲ値が８であれば３．６といった値に復元する。その後、復元されたＬＬＲの値を用いて復号部４０７３において復号処理が行われ、出力されたビットデータは上位機能部４０７１に入力される。
【００８８】
なお、端末２０１のアンテナ数、ＲＲＨ３０７のアンテナ数を任意の数にしてもよい。また、ＲＲＨ３０７で得られたＬＬＲに、制御信号に含まれる情報に応じて重み付けを行ってから量子化を行ってもよい。また、ＲＲＨ３０７とＢＢＵ４０７の間の信号伝送に用いるインタフェースにはイーサネット（登録商標）のような既存のインタフェースを用いてもよいし、独自のインタフェースを用いてもよい。また、ＲＲＨ３０７は、ＲＦ受信部３０７３による受信処理の後に、受信信号に対してＯＦＤＭなどのようなマルチキャリア信号の受信を行うための処理を行ってもよい。
【００８９】
（第８の実施形態）
第８の実施形態では、第２の実施形態による各ＲＲＨの可変量子化ビット削減部が行った量子化に関する情報を、ＲＲＨ−ＢＢＵ間でやりとりする。
図９は、第８の実施形態による無線通信システム１０８の構成を示すブロック図である。同図では、上りリンク信号伝送に関する信号の流れについても示している。同図において、図８に示す第７の実施形態による無線通信システム１０７と同一の部分には同一の符号を付し、その説明を省略する。同図に示すように、無線通信システム１０８は、端末２０１と、ＲＲＨ３０７と、ＢＢＵ４０８とを備える。同図においては、無線通信システム１０８が２台のＲＲＨ３０７を備える場合を例に示しているが、３台以上を備えてもよい。同図では、２台のＲＲＨ３０７をそれぞれ、ＲＲＨ３０７−１、３０７−２と記載している。各ＲＲＨ３０７とＢＢＵ４０７とはそれぞれ、伝送路５０１により接続される。
【００９０】
ＢＢＵ４０８は、上位機能部４０８１と、量子化復元部４０８２と、ＬＬＲ合成部４０８３と、復号部４０８４とを備える。
上位機能部４０８１は、複数台のＲＲＨ３０７それぞれの信号分配部３０７１に制御信号を伝送する。上位機能部４０８１は、ＲＲＨ３０７−ｉ（ｉ＝１，２）に伝送する制御信号に、ＲＲＨ３０７−ｉの復調部３０７５において復調を行うための復調パラメータと、ＲＲＨ３０７−ｉが受信した無線信号の受信信号品質情報（例えば、受信ＳＮＲ）と、あらかじめ算出しておいたＬＬＲ量子化情報（例えば、量子化ビット数や量子化閾値、量子化レベル）とのうち１以上を制御信号に設定する復調パラメータと、受信信号品質情報と、ＬＬＲ量子化情報とを設定する。
量子化復元部４０８２は、ＲＲＨ３０７−ｉ（ｉは１以上の整数）から通知された量子化情報に基づいて、ＲＲＨ３０７−ｉから受信したＬＬＲの量子化値を、ＬＬＲの値（復調値）に復元する。
ＬＬＲ合成部４０８３は、量子化復元部４０８２が復元した各ＲＲＨ３０７のＬＬＲの値を合成する。
復号部４０８４は、ＬＬＲ合成部４０８３により合成されたＬＬＲの値を用いて復号処理を行い、復号処理により得られたビットデータを上位機能部４０８１に出力する。
【００９１】
上記構成により、各ＲＲＨ３０７の可変量子化ビット削減部３０７６は、ＬＬＲの量子化ビット数を変化させるだけでなく、再量子化後の量子化情報、例えば、量子化レベルをＢＢＵ４０８に伝送する。ＢＢＵ４０８の量子化復元部４０８２は、ＲＲＨ３０７−ｉから受信した量子化情報をもとに、ＲＲＨ３０７−ｉから受信したＬＬＲの数値を復元する。ＬＬＲ合成部４０８３は、量子化復元部４０８２が復元した各ＲＲＨ３０７のＬＬＲの値を合成する。その後、合成されたＬＬＲの値を用いて復号部４０８４において復号処理が行われ、出力されたビットデータは上位機能部４０８１に入力される。
【００９２】
なお、端末２０１の数、各端末２０１のアンテナ数、ＲＲＨ３０７の数、各ＲＲＨ３０７のアンテナ数を任意の数にしてもよい。また、各ＲＲＨ３０７におけるＬＬＲの量子化ビット数は異なっていてもよい。また、各ＲＲＨ３０７で得られたＬＬＲに、制御信号に含まれる情報に応じて重み付けを行ってから量子化を行ってもよく、各ＲＲＨ３０７における重み付けが異なる場合は、ＢＢＵ４０８でＬＬＲ合成を行う前に重み付けを揃えてもよい。また、ＲＲＨ３０７とＢＢＵ４０８の間の信号伝送に用いるインタフェースにはイーサネット（登録商標）のような既存のインタフェースを用いてもよいし、独自のインタフェースを用いてもよい。また、各ＲＲＨ３０７は、ＲＦ受信部３０７３による受信処理の後に、受信信号に対してＯＦＤＭなどのようなマルチキャリア信号の受信を行うための処理を行ってもよい。
【００９３】
（第９の実施形態）
第９の実施形態では、第３の実施形態によるＲＲＨの可変量子化ビット削減部が行った量子化に関する情報を、ＲＲＨ−ＢＢＵ間でやりとりする。
図１０は、第９の実施形態による無線通信システム１０９の構成を示すブロック図である。同図では、上りリンク信号伝送に関する信号の流れについても示している。同図において、図１に示す第１の実施形態による無線通信システム１０１と同一の部分には同一の符号を付し、その説明を省略する。同図に示すように、無線通信システム１０９は、端末２０１と、ＲＲＨ３０９と、ＢＢＵ４０９とを備える。ＲＲＨ３０９とＢＢＵ４０９とは、伝送路５０１により接続される。
【００９４】
ＲＲＨ３０９は、信号分配部３０９１と、アンテナ３０９２と、ＲＦ受信部３０９３と、チャネル推定部３０９４と、復調部３０９５と、可変量子化ビット削減部３０９６とを備える。
信号分配部３０９１、アンテナ３０９２、ＲＦ受信部３０９３、チャネル推定部３０９４、及び、復調部３０９５はそれぞれ、第３の実施形態のＲＲＨ３０３の信号分配部３０３１、アンテナ３０３２、ＲＦ受信部３０３３、チャネル推定部３０３４、及び、復調部３０３５と同様の機能を有する。
可変量子化ビット削減部３０９６は、第３の実施形態のＲＲＨ３０３の可変量子化ビット削減部３０３６と同様の機能を有する。可変量子化ビット削減部３０９６は、さらに、量子化情報、例えば、量子化レベルをＢＢＵ４０９に伝送する。
【００９５】
ＢＢＵ４０９は、上位機能部４０９１と、量子化復元部４０９２と、復号部４０９３とを備える。
上位機能部４０９１は、ＢＢＵ４０３の上位機能部４０３１と同様の機能を有する。
量子化復元部４０９２は、ＲＲＨ３０９から通知された量子化情報に基づいて、ＲＲＨ３０９から受信したＬＬＲの量子化値を、ＬＬＲの値（復調値）に復元する。
復号部４０９３は、量子化復元部４０９２が復元したＬＬＲの値を用いて復号処理を行い、復号処理により得られたビットデータを上位機能部４０９１に出力する。
【００９６】
上記構成により、ＲＲＨ３０７の可変量子化ビット削減部３０９６は、ＬＬＲの量子化ビット数を変化させるだけでなく、再量子化後の量子化情報、例えば、量子化レベルをＢＢＵ４０９に伝送する。ＢＢＵ４０９の量子化復元部４０９２は、ＲＲＨ３０９から受信した量子化情報をもとに、ＬＬＲの数値を復元する。その後、復元されたＬＬＲの値を用いて復号部４０９３において復号処理が行われ、出力されたビットデータは上位機能部４０９１に入力される。
【００９７】
なお、端末２０１のアンテナ数、ＲＲＨ３０９のアンテナ数を任意の数にしてもよい。また、ＲＲＨ３０９で得られたＬＬＲに、チャネル推定信号に含まれるチャネル情報に応じて重み付けを行ってから量子化を行ってもよい。また、ＲＲＨ３０９とＢＢＵ４０９の間の信号伝送に用いるインタフェースにはイーサネット（登録商標）のような既存のインタフェースを用いてもよいし、独自のインタフェースを用いてもよい。また、ＲＲＨ３０９は、ＲＦ受信部３０９３による受信処理の後に、受信信号に対してＯＦＤＭなどのようなマルチキャリア信号の受信を行うための処理を行ってもよい。
【００９８】
（第１０の実施形態）
第１０の実施形態では、第４の実施形態による各ＲＲＨの可変量子化ビット削減部が行った量子化に関する情報を、ＲＲＨ−ＢＢＵ間でやりとりする。
図１１は、第１０の実施形態による無線通信システム１１０の構成を示すブロック図である。同図では、上りリンク信号伝送に関する信号の流れについても示している。同図において、図１０に示す第９の実施形態による無線通信システム１０９と同一の部分には同一の符号を付し、その説明を省略する。同図に示すように、無線通信システム１１０は、端末２０１と、ＲＲＨ３０９と、ＢＢＵ４１０とを備える。同図においては、無線通信システム１１０が２台のＲＲＨ３０９を備える場合を例に示しているが、３台以上を備えてもよい。同図では、２台のＲＲＨ３０９をそれぞれ、ＲＲＨ３０９−１、３０９−２と記載している。各ＲＲＨ３０９とＢＢＵ４１０とはそれぞれ、伝送路５０１により接続される。
【００９９】
ＢＢＵ４１０は、上位機能部４１０１と、量子化復元部４１０２と、ＬＬＲ合成部４１０３と、復号部４１０４とを備える。
上位機能部４１０１は、復調パラメータを設定した制御信号をＲＲＨ３０９の復調部３０９５に伝送する。上位機能部４１０１は、ＲＲＨ３０９−ｉ（ｉ＝１，２）に伝送する制御信号に、ＲＲＨ３０９−ｉの復調部３０９５において復調を行うための復調パラメータを設定する。
量子化復元部４１０２は、ＲＲＨ３０９−ｉ（ｉは１以上の整数）から通知された量子化情報に基づいて、ＲＲＨ３０９−ｉから受信したＬＬＲの量子化値を、ＬＬＲの値（復調値）に復元する。
ＬＬＲ合成部４１０３は、量子化復元部４１０２が復元した各ＲＲＨ３０９のＬＬＲの値を合成する。
復号部４１０４は、ＬＬＲ合成部４１０３により合成されたＬＬＲの値を用いて復号処理を行い、復号処理により得られたビットデータを上位機能部４１０１に出力する。
【０１００】
上記構成により、各ＲＲＨ３０９の可変量子化ビット削減部３０９６は、ＬＬＲの量子化ビット数を変化させるだけでなく、再量子化後の量子化情報、例えば、量子化レベルをＢＢＵ４１０に伝送する。ＢＢＵ４１０の量子化復元部４１０２は、ＲＲＨ３０９−ｉから受信した量子化情報をもとに、ＲＲＨ３０９−ｉから受信したＬＬＲの数値を復元する。ＬＬＲ合成部４１０３は、量子化復元部４１０２が復元した各ＲＲＨ３０９のＬＬＲの値を合成する。その後、合成されたＬＬＲの値を用いて復号部４１０４において復号処理が行われ、出力されたビットデータは上位機能部４１０１に入力される。
【０１０１】
なお、端末２０１の数、各端末２０１のアンテナ数、ＲＲＨ３０９の数、各ＲＲＨ３０９のアンテナ数を任意の数にしてもよい。また、各ＲＲＨ３０９におけるＬＬＲの量子化ビット数は異なっていてもよい。また、各ＲＲＨ３０９で得られたＬＬＲに、チャネル推定信号に含まれるチャネル情報に応じて重み付けを行ってから量子化を行ってもよく、各ＲＲＨ３０９における重み付けが異なる場合はＢＢＵ４１０でＬＬＲ合成を行う前に重み付けを揃えてもよい。また、ＲＲＨ３０９とＢＢＵ４１０の間の信号伝送に用いるインタフェースにはイーサネット（登録商標）のような既存のインタフェースを用いてもよいし、独自のインタフェースを用いてもよい。また、各ＲＲＨ３０９は、ＲＦ受信部３０９３による受信処理の後に、受信信号に対してＯＦＤＭなどのようなマルチキャリア信号の受信を行うための処理を行ってもよい。
【０１０２】
（第１１の実施形態）
第１１の実施形態では、第５の実施形態によるＲＲＨの可変量子化ビット削減部が行った量子化に関する情報を、ＲＲＨ−ＢＢＵ間でやりとりする。
図１２は、第１１の実施形態による無線通信システム１１１の構成を示すブロック図である。同図では、上りリンク信号伝送に関する信号の流れについても示している。同図において、図１に示す第１の実施形態による無線通信システム１０１と同一の部分には同一の符号を付し、その説明を省略する。同図に示すように、無線通信システム１１１は、端末２０１と、ＲＲＨ３１１と、ＢＢＵ４１１とを備える。ＲＲＨ３１１とＢＢＵ４１１とは、伝送路５０１により接続される。
【０１０３】
ＲＲＨ３１１は、信号分配部３１１１と、アンテナ３１１２と、ＲＦ受信部３１１３と、チャネル推定部３１１４と、復調部３１１５と、可変量子化ビット削減部３１１６とを備える。
信号分配部３１１１、アンテナ３１１２、ＲＦ受信部３１１３、チャネル推定部３１１４、及び、復調部３１１５はそれぞれ、第５の実施形態のＲＲＨ３０５の信号分配部３０５１、アンテナ３０５２、ＲＦ受信部３０５３、チャネル推定部３０５４、及び、復調部３０５５と同様の機能を有する。
可変量子化ビット削減部３１１６は、第５の実施形態のＲＲＨ３０５の可変量子化ビット削減部３０５６と同様の機能を有する。可変量子化ビット削減部３１１６は、さらに、量子化情報、例えば、量子化レベルをＢＢＵ４１１に伝送する。
【０１０４】
ＢＢＵ４１１は、上位機能部４１１１と、量子化復元部４１１２と、復号部４１１３とを備える。
上位機能部４１１１は、ＢＢＵ４０５の上位機能部４０５１と同様の機能を有する。
量子化復元部４１１２は、ＲＲＨ３１１から通知された量子化情報に基づいて、ＲＲＨ３０９から受信したＬＬＲの量子化値を、ＬＬＲの値（復調値）に復元する。
復号部４１１３は、量子化復元部４１１２が復元したＬＬＲの値を用いて復号処理を行い、復号処理により得られたビットデータを上位機能部４１１１に出力する。
【０１０５】
上記構成により、ＲＲＨ３１１の可変量子化ビット削減部３１１６は、ＬＬＲの量子化ビット数を変化させるだけでなく、再量子化後の量子化情報、例えば、量子化レベルをＢＢＵ４１１に伝送する。ＢＢＵ４１１の量子化復元部４１１２は、ＲＲＨ３１１から受信した量子化情報をもとに、ＬＬＲの数値を復元する。その後、復元されたＬＬＲの値を用いて復号部４１１３において復号処理が行われ、出力されたビットデータは上位機能部４１１１に入力される。
【０１０６】
なお、端末２０１のアンテナ数、ＲＲＨ３１１のアンテナ数を任意の数にしてもよい。また、ＲＲＨ３１１で得られたＬＬＲに、制御信号に含まれる情報又はチャネル推定信号に含まれるチャネル情報、あるいは、その両方に応じて重み付けを行ってから量子化を行ってもよい。また、ＲＲＨ３１１とＢＢＵ４１１の間の信号伝送に用いるインタフェースにはイーサネット（登録商標）のような既存のインタフェースを用いてもよいし、独自のインタフェースを用いてもよい。また、ＲＲＨ３１１は、ＲＦ受信部３１１３による受信処理の後に、受信信号に対してＯＦＤＭなどのようなマルチキャリア信号の受信を行うための処理を行ってもよい。
【０１０７】
（第１２の実施形態）
第１２の実施形態では、第６の実施形態による各ＲＲＨの可変量子化ビット削減部が行った量子化に関する情報を、ＲＲＨ−ＢＢＵ間でやりとりする。
図１３は、第１２の実施形態による無線通信システム１１２の構成を示すブロック図である。同図では、上りリンク信号伝送に関する信号の流れについても示している。同図において、図１２に示す第１１の実施形態による無線通信システム１１１と同一の部分には同一の符号を付し、その説明を省略する。同図に示すように、無線通信システム１１２は、端末２０１と、ＲＲＨ３１１と、ＢＢＵ４１２とを備える。同図においては、無線通信システム１１２が２台のＲＲＨ３１１を備える場合を例に示しているが、３台以上を備えてもよい。同図では、２台のＲＲＨ３１１をそれぞれ、ＲＲＨ３１１−１、３１１−２と記載している。各ＲＲＨ３１１とＢＢＵ４１２とはそれぞれ、伝送路５０１により接続される。
【０１０８】
ＢＢＵ４１２は、上位機能部４１２１と、量子化復元部４１２２と、ＬＬＲ合成部４１２３と、復号部４１２４とを備える。
上位機能部４１２１は、複数台のＲＲＨ３１１それぞれの信号分配部３１１１に制御信号を伝送する。上位機能部４１２１は、ＲＲＨ３１１−ｉ（ｉ＝１，２）に伝送する制御信号に、ＲＲＨ３１１−ｉの復調部３１１５において復調を行うための復調パラメータと、ＲＲＨ３１１−ｉが受信した無線信号の受信信号品質情報（例えば、受信ＳＮＲ）と、あらかじめ算出しておいたＬＬＲ量子化情報（例えば、量子化ビット数や量子化閾値、量子化レベル）とのうち１以上を制御信号に設定する。
量子化復元部４１２２は、ＲＲＨ３１１−ｉ（ｉは１以上の整数）から通知された量子化情報に基づいて、ＲＲＨ３１１−ｉから受信したＬＬＲの量子化値を、ＬＬＲの値に復元する。
ＬＬＲ合成部４１２３は、量子化復元部４１２２が復元した各ＲＲＨ３１１のＬＬＲの値（復調値）を合成する。
復号部４１２４は、ＬＬＲ合成部４１２３により合成されたＬＬＲの値を用いて復号処理を行い、復号処理により得られたビットデータを上位機能部４１２１に出力する。
【０１０９】
上記構成により、各ＲＲＨ３１１の可変量子化ビット削減部３１１６は、ＬＬＲの量子化ビット数を変化させるだけでなく、再量子化後の量子化情報、例えば、量子化レベルをＢＢＵ４１２に伝送する。ＢＢＵ４１２の量子化復元部４１１２は、ＲＲＨ３１１−ｉから受信した量子化情報をもとに、ＲＲＨ３１１−ｉから受信したＬＬＲの数値を復元する。ＬＬＲ合成部４１２３は、量子化復元部４１２２が復元した各ＲＲＨ３１１のＬＬＲの値を合成する。その後、合成されたＬＬＲの値を用いて復号部４１２４において復号処理が行われ、出力されたビットデータは上位機能部４１２１に入力される。
【０１１０】
なお、端末２０１の数、各端末２０１のアンテナ数、ＲＲＨ３１１の数、各ＲＲＨ３１１のアンテナ数を任意の数にしてもよい。また、各ＲＲＨ３１１におけるＬＬＲの量子化ビット数は異なっていてもよい。また、各ＲＲＨ３１１で得られたＬＬＲに、制御信号に含まれる情報又はチャネル推定信号に含まれるチャネル情報、あるいは、その両方に応じて重み付けを行ってから量子化を行ってもよく、各ＲＲＨ３１１における重み付けが異なる場合は、ＢＢＵ４１２でＬＬＲ合成を行う前に重み付けを揃えてもよい。また、ＲＲＨ３１１とＢＢＵ４１２の間の信号伝送に用いるインタフェースにはイーサネット（登録商標）のような既存のインタフェースを用いてもよいし、独自のインタフェースを用いてもよい。また、各ＲＲＨ３１１は、ＲＦ受信部３１１３による受信処理の後に、受信信号に対してＯＦＤＭなどのようなマルチキャリア信号の受信を行うための処理を行ってもよい。
【０１１１】
以上説明した第１〜第１２の実施形態によれば、無線通信システムは、無線受信装置としてのＲＲＨと無線制御装置としてのＢＢＵとを有する。ＲＲＨは、端末から無線により信号を受信し、受信した信号に基づきチャネル推定を行う。また、ＲＲＨは、端末から無線により受信した信号に、チャネル推定により推定されたチャネルの特性を用いて等化処理を行い、等化処理された信号に軟判定復調を行う。ＲＲＨは、軟判定復調により得られた復調値の量子化ビット数を、ＢＢＵから受信した制御信号に含まれる情報と、推定されたチャネル特性が設定されたチャネル推定信号に含まれる情報との一方又は両方に基づいて削減し、削減した量子化ビット数の量子化値で表された復調値をＢＢＵに出力する。制御信号に含まれる情報は、復調パラメータ、受信信号品質情報、ＬＬＲ量子化情報であり、チャネル推定信号に含まれる情報は、チャネル情報である。ＢＢＵは、ＲＲＨから受信した復調値に復号処理を行う。
上記により、ＲＲＨは、従来のようにどのような無線伝送路の状態でも誤り無く受信できるような固定値でＬＬＲを量子化して伝送するのではなく、復調パラメータ、受信信号品質情報、ＬＬＲ量子化情報、チャネル情報によって量子化ビット数を変えて、ＬＬＲを量子化して伝送する。これにより、ＲＲＨ−ＢＢＵ間の伝送容量を削減できる。例えば、従来は５ビットの量子化ビット数で量子化されたＬＬＲを伝送する場合にＲＲＨ−ＢＢＵ間の伝送容量が５Ｇｂｐｓであったのに対し、伝送されるＬＬＲのうちの半分が４ビット、残りの半分が３ビットで量子化されれば、ＲＲＨ−ＢＢＵ間の伝送容量は３．５Ｇｂｐｓとなる。
【０１１２】
上述した実施形態におけるＲＲＨ３０１、３０３、３０５、３０７、３０９、３１１、及び、ＢＢＵ４０１、４０２、４０３、４０４、４０５、４０６、４０７、４０８、４０９、４１０、４１１、４１２の一部の機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１１３】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【０１１４】
受信信号の軟判定復調処理と復号処理とを異なる装置において行う通信システムに適用可能である。
【符号の説明】
【０１１５】
１０１、１０２、１０３、１０４、１０５、１０６、１０７、１０８、１０９、１１０、１１１、１１２  無線通信システム
２０１  端末
３０１、３０１−１、３０１−２、３０３、３０３−１、３０３−２、３０５、３０５−１、３０５−２、３０７、３０７−１、３０７−２、３０９、３０９−１、３０９−２、３１１、３１１−１、３１１−２  ＲＲＨ（無線受信装置）
４０１、４０２、４０３、４０４、４０５、４０６、４０７、４０８、４０９、４１０、４１１、４１２  ＢＢＵ（無線制御装置）
５０１  伝送路
３０１１、３０３１、３０５１、３０７１、３０９１、３１１１  信号分配部
３０１２、３０３２、３０５２、３０７２、３０９２、３１１２  アンテナ
３０１３、３０３３、３０５３、３０７３、３０９３、３１１３  受信部
３０１４、３０３４、３０５４、３０７４、３０９４、３１１４  チャネル推定部
３０１５、３０３５、３０５５、３０７５、３０９５、３１１５  復調部
３０１６、３０３６、３０５６、３０７６、３０９６、３１１６  可変量子化ビット削減部
４０１１、４０２１、４０３１、４０４１、４０５１、４０６１、４０７１、４０８１、４０９１、４１０１、４１１１、４１２１  上位機能部
４０１２、４０２３、４０３２、４０４３、４０５２、４０６３、４０７３、４０８４、４０９３、４１０４、４１１３、４１２４  復号部
４０２２、４０４２、４０６２、４０８３、４１０３、４１２３  合成部
４０７２、４０８２、４０９２、４１０２、４１１２、４１２２  量子化復元部
【図１】
2017092611.tif 000003
【図２】
2017092611.tif 000004
【図３】
2017092611.tif 000005
【図４】
2017092611.tif 000006
【図５】
2017092611.tif 000007
【図６】
2017092611.tif 000008
【図７】
2017092611.tif 000009
【図８】
2017092611.tif 000010
【図９】
2017092611.tif 000011
【図１０】
2017092611.tif 000012
【図１１】
2017092611.tif 000013
【図１２】
2017092611.tif 000014
【図１３】
2017092611.tif 000015
【図１４】
2017092611.tif 000016
【図１５】
2017092611.tif 000017
【図１６】
2017092611.tif 000018
【図１７】
2017092611.tif 000019
【図１８】
2017092611.tif 000020